(57)【特許請求の範囲】
【請求項１】
指示計器を収容するケーシングと、指示計器の前面側を覆うカバープレートとを有し、アウターバイザーによって前方側における周囲が覆われるように配置される表示装置であって、
前記カバープレートと前記アウターバイザーとの隙間の下方に、前記カバープレートから突出する落下防止リブが幅方向の略全域にわたって設けられ、
前記落下防止リブには、両端部分を上方へ立ち上げてなる飛び出し防止部が設けられていることを特徴とする表示装置。
【請求項２】
前記落下防止リブには、切欠き部が形成されていることを特徴とする請求項１に記載の表示装置。
【請求項３】
前記切欠き部は、前記落下防止リブにおける両端近傍に設けられていることを特徴とする請求項２に記載の表示装置。
【発明の詳細な説明】
【技術分野】
【０００１】
本発明は、例えば、自動車等の車両に搭載される表示装置に関する。
【背景技術】
【０００２】
従来より、自動車等の車両には、速度や回転数などを表示する表示装置が設けられている。
【０００３】
図５に示すように、表示装置１は、指示計器２を収納するケーシング３，４と、指示計器２前方を覆う光透過性のカバープレート６とを備え、車両のダッシュボードやインスツルメントパネルなどのクラスターであるアウターバイザー７によって前方側における周囲が覆われるように配置されたものが知られている（例えば、特許文献１参照）。
【先行技術文献】
【特許文献】
【０００４】
【特許文献１】特開２０００−１６１９９６号公報
【発明の概要】
【発明が解決しようとする課題】
【０００５】
ところで、表示装置１とアウターバイザー７との間には、僅かな隙間Ｇが形成されているため、表示装置１の前面側におけるアウターバイザー７の平坦部７ａに置いたコイン等が、表示装置１の前面のカバープレート６とアウターバイザー７との隙間Ｇから、表示側の表面であるカバープレート６の表面に沿って入り込んでインスツルメントパネルの内部に落下してしまうことがあった。
【０００６】
本発明は、上述した事情に鑑みてなされたものであり、その目的は、表示側の表面に沿うコインや異物の落下を確実に防止することが可能な表示装置を提供することにある。
【課題を解決するための手段】
【０００７】
前述した目的を達成するために、本発明に係る表示装置は、下記（１）から（３）を特徴としている。
（１）  指示計器を収容するケーシングと、指示計器の前面側を覆うカバープレートとを有し、アウターバイザーによって前方側における周囲が覆われるように配置される表示装置であって、
前記カバープレートと前記アウターバイザーとの隙間の下方に、前記カバープレートから突出する落下防止リブが幅方向の略全域にわたって設けられ、
前記落下防止リブには、両端部分を上方へ立ち上げてなる飛び出し防止部が設けられていること。
（２）  上記（１）の構成の表示装置において、前記落下防止リブには、切欠き部が形成されていること。
（３）  上記（２）の構成の表示装置において、前記切欠き部は、前記落下防止リブにおける両端近傍に設けられていること。
【０００８】
上記（１）の構成の表示装置では、アウターバイザーとの隙間にコインが入り込んでも、このコインや異物が落下防止リブに受け止められるので、コインや異物が隙間からインスツルメントパネルの内部に落下するような不具合を防止することができる。
また、上記（１）の構成の表示装置では、落下防止リブによって受け止められたコインが隙間で転動しても、落下防止リブの両端部分を立ち上げてなる飛び出し防止部によってコインの左右への飛び出しを防止することができる。
上記（２）の構成の表示装置では、転動するコインが落下防止リブに形成された切欠き部に達すると、この切欠き部にコインが入り込んで保持されるので、落下防止リブ上を転がるコインが左右に転がって飛び出すような不具合をさらに防止することができる。
上記（３）の構成の表示装置では、落下防止リブの両端近傍に設けられた切欠き部によって転動するコインを確実に保持し、左右への飛び出しを確実に防止することができる。
【発明の効果】
【０００９】
本発明によれば、表示側の表面に沿うコインや異物の落下を確実に防止させることが可能な表示装置を提供できる。
【００１０】
以上、本発明について簡潔に説明した。更に、以下に説明される発明を実施するための形態を添付の図面を参照して通読することにより、本発明の詳細は更に明確化されるであろう。
【図面の簡単な説明】
【００１１】
【図１】本発明の実施形態に係る表示装置の構成を説明する図であって、（ａ）は正面図、（ｂ）は側断面図である。
【図２】本発明の他の実施形態に係る表示装置を示す正面図である。
【図３】切欠き部について説明する落下防止リブの一部の正面図である。
【図４】切欠き部におけるコインの保持状態を示す表示装置の一部の斜視図である。
【図５】従来の表示装置を説明する側断面図である。
【発明を実施するための形態】
【００１２】
以下、本発明に係る実施の形態の例を、図面を参照して説明する。
【００１３】
図１は本実施形態に係る表示装置の構成を説明する図であって、（ａ）は正面図、（ｂ）は側断面図である。
【００１４】
図１に示すように、本実施形態の表示装置１０は、自動車等の車両に設けられるもので、速度計（指示計器）１１、回転計（指示計器）１２、トランスミッションポジション表示部１３及び一対のウィンカー表示部１４を備えるコンビネーションメータである。
【００１５】
速度計１１及び回転計１２は、円形に成形され、その外周縁の円周方向に表示用の数字及び目盛が設けられた文字板１５と、文字板１５の表面に沿って回動して数字及び目盛を指示する指針１６とを備えている。
【００１６】
また、この速度計１１には、走行距離を表示する距離計１７が設けられ、回転計１２には、各種の警告灯１８が設けられている。
【００１７】
表示装置１０は、速度計１１及び回転計１２を収容するケーシング３１と、速度計１１及び回転計１２の前方側を覆う光透過性を有するカバープレート３２とを備えている。
【００１８】
カバープレート３２は、上方へ向かって次第に手前に傾斜されており、僅かに奥側へ湾曲されている。
【００１９】
また、表示装置１０の下部には、手前側へ略水平に突出する落下防止リブ３５が設けられている。この落下防止リブ３５は、カバープレート３２に一体成形されたもので、表示装置１０の下縁に沿って幅方向の略全域に設けられている。
【００２０】
この落下防止リブ３５は、その両端部に、表示装置１０の外形に沿って上方へ向かって湾曲しながら立ち上げられた飛び出し防止部３６が設けられている。
【００２１】
上記の表示装置１０は、車両のダッシュボードやインスツルメントパネルなどのクラスターであるアウターバイザー３８によって前方側における周囲が覆われるように配置されている。そして、表示装置１０の下端を覆う下方側のアウターバイザー３８は、略水平に延びる平面部３８ａが、カバープレート３２と隙間Ｇをあけた状態で、落下防止リブ３５よりも僅かに上方に配置されており、この平面部３８ａ及び落下防止リブ３５の先端近傍同士が互いにラップされている。
【００２２】
つまり、カバープレート３２と下方側のアウターバイザー３８との隙間Ｇの下方には、カバープレート３２から突出する落下防止リブ３５が幅方向の略全域にわたって設けられた状態とされる。
【００２３】
上記の表示装置１０を備えた車両では、運転手が、例えば、駐車料や通行料の支払時や釣銭の受け取り時に、表示装置１０の手前の下方側を覆うアウターバイザー３８の平面部３８ａにコインＣを載置させることがある。
【００２４】
すると、このコインＣが、車両の加減速時の加速度よって移動し、表示装置１０のカバープレート３２とアウターバイザー３８の平面部３８ａとの隙間Ｇに入り込むことがある。しかし、この隙間Ｇの下方には、落下防止リブ３５が設けられているので、隙間Ｇに入り込んだコインＣは、落下防止リブ３５によって下方への落下が防止され、アウターバイザー３８の平面部３８ａの先端部に立てかけられた状態となる。
【００２５】
また、この状態において、道路のコーナーや交差点で車両が左右へ旋回されて横方向に加速度が生じると、コインＣは、隙間Ｇ内において左右へ転がるが、このコインＣは、表示装置１０の左右端において飛び出し防止部３６に達した時点で、この飛び出し防止部３６に当接してそれ以上の転がりが防止されて戻される。これにより、落下防止リブ３５上を転がるコインＣが左右に転がって飛び出すような不具合が防止される。
【００２６】
このように、上記実施形態に係る表示装置１０によれば、アウターバイザー３８との隙間ＧにコインＣやその他の異物などが入り込んでも、このコインＣが隙間Ｇからインスツルメントパネルの内部に落下するような不具合を防止することができる。
【００２７】
また、アウターバイザー３８との隙間Ｇ内において、コインＣが転動しても、落下防止リブ３５の両端で立ち上げられた飛び出し防止部３６によってコインＣの左右への飛び出しを防止することができる。
【００２８】
次に、他の実施形態に係る表示装置について説明する。
【００２９】
なお、上記実施形態に係る表示装置１０と同一構成部分は同一符号を付して説明を省略する。
【００３０】
図２は他の実施形態に係る表示装置を示す正面図、図３は切欠き部について説明する落下防止リブの一部の正面図、図４は切欠き部におけるコインの保持状態を示す表示装置の一部の斜視図である。
【００３１】
図２及び図３に示すように、この表示装置４０では、落下防止リブ３５の両端近傍部分に、切欠き部４１が形成されている。この切欠き部４１は、その幅寸法が、コインＣの直径より小さくされ、コインＣが切欠き部４１を通過しないようにされている。
【００３２】
そして、この切欠き部４１が形成された落下防止リブ３５を有する表示装置４０では、カバープレート３２と下方側のアウターバイザー３８の平面部３８ａとの隙間Ｇ内においてコインＣが左右へ転がり、落下防止リブ３５の両端近傍に達した時点で、図４に示すように、コインＣが切欠き部４１に入り込んで保持される。したがって、落下防止リブ３５上を転がるコインＣが左右に転がって飛び出すような不具合を防止することができる。また、転がるコインＣが切欠き部４１を超えたとしても切欠き部４１を通過する際に減速される。これにより、飛び出し防止部３６でコインＣを確実に受け止めさせて飛び出しを防止することができる。
【００３３】
このように、上記の表示装置４０では、切欠き部４１でコインＣの転がりを停止あるいは減速させることができるので、飛び出し防止部３６の高さを低くしてもコインＣの飛び出しを確実に防止することができ、よって、飛び出し防止部３６を小さくすることによるコストダウン及び軽量化を図ることができる。
【００３４】
なお、上記の切欠き部４１は、飛び出し防止部３６に設けても良く、また、落下防止リブ３５の中間部分に設けても良い。
【００３５】
また、落下防止リブ３５の上面に複数の凹凸を形成しても良く、このようにすると、コインＧの転がりをさらに良好に減速または停止させることができる。
【００３６】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００３７】
１０，４０  表示装置
１１  速度計（指示計器）
１２  回転計（指示計器）
３１  ケーシング
３２  カバープレート
３５  落下防止リブ
３６  飛び出し防止部
３８  アウターバイザー
４１  切欠き部
Ｇ  隙間
【図１】
0005638925.tif 000002
【図２】
0005638925.tif 000003
【図３】
0005638925.tif 000004
【図４】
0005638925.tif 000005
【図５】
0005638925.tif 000006